(57)【要約】【課題】携帯型光学読取装置を充電する充電ユニットの抜け耐性、及び、電気的な接続部の耐摩耗性を高める。【解決手段】読取対象となるシンボルを光学的に読み取る読取部４１と、読取部４１が収納されたヘッド部３と、ヘッド部３に連設されるとともに連設方向に延在し、ユーザによって把持される把持部２と、読取部４１に駆動電力を供給するためのバッテリ部４２と、バッテリ部４２を充電する充電ユニット１０１が接続される充電ユニット接続部１１とを有し、充電ユニット接続部１１は、把持部２に連設され、充電ユニット１０１の電気接点１１２と導通し、一列に並んで配設された複数の電気接点１２と、複数の電気接点１２を通過する直線の両側に設けられ、充電ユニット１０１と係合する一対の係合部１３とを備える。【選択図】図２
2017091331.tif 000002
【特許請求の範囲】
【請求項１】
読取対象となるシンボルを光学的に読み取る読取部と、該読取部が収納されたヘッド部と、該ヘッド部に連設されるとともに連設方向に延在し、ユーザによって把持される把持部と、前記読取部に駆動電力を供給するためのバッテリ部と、該バッテリ部を充電する充電ユニットが接続される充電ユニット接続部とを有する携帯型光学読取装置であって、
前記充電ユニット接続部は、
前記把持部に連設され、
前記充電ユニットの第二電気接点と導通し、一列に並んで配設された複数の第一電気接点と、
前記複数の第一電気接点を通過する直線の両側に設けられ、前記充電ユニットと係合する一対の第一係合部と、
を備える携帯型光学読取装置。
【請求項２】
請求項１に記載の携帯型光学読取装置であって、
前記一対の第一係合部は、該一対の第一係合部の中間に、前記複数の電気接点の各々が位置するよう設けられる携帯型光学読取装置。
【請求項３】
請求項１又は請求項２に記載の携帯型光学読取装置であって、
前記充電ユニット接続部は、さらに、
前記複数の第一電気接点を収容する回転対称性のない形状の第一保護壁が形成された第一接点収容部を備える携帯型光学読取装置。
【請求項４】
請求項３に記載の携帯型光学読取装置であって、
前記充電ユニットを接続した際、前記充電ユニットの第二電気接点を保護するための第二接点収容部が前記第一接点収容部に嵌挿されると共に、前記充電ユニット接続部と前記第二接点収容部の周囲に設けられた防水パッキンとが接合する携帯型光学読取装置。
【請求項５】
請求項１〜４のいずれか一に記載の携帯型光学読取装置であって、
前記把持部は、前記ヘッド部から延在する連設方向に端面を有し、
前記一対の第一係合部は、前記端面の周囲に設けられる携帯型光学読取装置。
【請求項６】
請求項１〜５のいずれか一に記載の携帯型光学読取装置であって、
前記一対の第一係合部は、
前記充電ユニット接続部と接続するための、前記充電ユニットの読取装置接続部に設けられた一対の第二係合部と協働して、前記充電ユニットと係合した状態を保持又は解除するロック機構を備える携帯型光学読取装置。
【請求項７】
請求項６に記載の携帯型光学読取装置であって、
前記一対の第一係合部は、付勢手段を有し、該付勢手段の付勢力によって又は該付勢力に抗して可動する、前記充電ユニットに設けられた一対のロック可動部が、夫々嵌合する一対のロック嵌合部で構成され、
前記ロック機構のロックは、前記一対のロック可動部が、前記付勢手段の付勢力によって前記一対のロック嵌合部に夫々嵌挿され、前記一対のロック嵌合部を介して、前記把持部を挟持することでかかり、前記付勢手段の付勢力に抗することによって前記一対のロック嵌合部から夫々抜脱され、前記把持部を放つことで解除される携帯型光学読取装置。
【請求項８】
請求項１〜７のいずれか一に記載の携帯型光学読取装置であって、
前記充電ユニット接続部は、前記把持部が延在する方向と略直交する断面が回転対称性のない形状に成形されてなる携帯型光学読取装置。
【請求項９】
請求項１〜８のいずれか一に記載の携帯型光学読取装置であって、
前記把持部は、外形が、断面視略円形の棒状に、軸芯が、前記ヘッド部に形成された読取口と略平行に向くよう成形されてなる携帯型光学読取装置。
【請求項１０】
請求項１〜９のいずれか一に記載の携帯型光学読取装置であって、
前記バッテリ部は、前記把持部の内部に収納される円筒型バッテリからなる携帯型光学読取装置。
【請求項１１】
請求項１〜１０のいずれか一に記載の携帯型光学読取装置であって、
前記充電ユニットは、前記把持部のヘッド部とは反対側の端部に接続される携帯型光学読取装置。
【請求項１２】
読取対象となるシンボルを光学的に読み取る読取部と、該読取部が収納されたヘッド部と、該ヘッド部に連設されるとともに連設方向に延在し、ユーザによって把持される把持部と、前記読取部に駆動電力を供給するためのバッテリ部と、該バッテリ部を充電する充電ユニットが接続される充電ユニット接続部とを有する携帯型光学読取装置の充電ユニットであって、
前記充電ユニット接続部と接続するための読取装置接続部を備え、
前記読取装置接続部は、
前記充電ユニット接続部に設けられた、前記充電ユニットの第二電気接点と導通し、一列に並んで配設された複数の第一電気接点と、対応付けて一列に並んで配設された複数の第二電気接点と、
前記複数の第一電気接点を通過する直線の両側に設けられた一対の第一係合部と係合する一対の第二係合部と、
を備える携帯型光学読取装置の充電ユニット。
【請求項１３】
請求項１２に記載の携帯型光学読取装置の充電ユニットであって、
前記一対の第二係合部は、
可動する可動部と、
可動しない前記一対の第一係合部と協働して、前記携帯型光学読取装置と係合した状態を保持又は解除するロック機構と、
を備える携帯型光学読取装置の充電ユニット。
【請求項１４】
読取対象となるシンボルを光学的に読み取る読取部、該読取部が収納されたヘッド部、該ヘッド部に連設されるとともに連設方向に延在し、ユーザによって把持される把持部、及び、前記読取部に駆動電力を供給するためのバッテリ部、並びに、該バッテリ部を充電する充電ユニットが接続される充電ユニット接続部とを有する携帯型光学読取装置と、前記読取部に駆動電力を供給する、または、前記バッテリ部に充電電力を供給するための電源部、及び、前記充電ユニット接続部と接続するための読取装置接続部を有する充電ユニットとを備える携帯型光学読取システムであって、
前記携帯型光学読取装置は、
前記充電ユニット接続部が、
前記把持部に連設され、
前記充電ユニットの第二電気接点と導通し、一列に並んで配設された複数の第一電気接点と、
前記複数の第一電気接点を通過する直線の両側に設けられ、前記充電ユニットと係合する一対の第一係合部と、
を備え、
前記充電ユニットは、
前記読取装置接続部が、
前記充電ユニット接続部に設けられた、前記複数の第一電気接点と対応付けて一列に並んで配設された複数の第二電気接点と、
前記一対の第一係合部と係合する一対の第二係合部と、
を備える携帯型光学読取システム。
【発明の詳細な説明】
【技術分野】
【０００１】
本発明は、携帯型光学読取装置を充電する充電ユニットの抜け耐性、及び、電気的な接続部の耐摩耗性を高めた携帯型光学読取装置、及び、その充電ユニット、並びに、携帯型光学読取システムに関する。
【背景技術】
【０００２】
従来から、商品や梱包箱等に付されたバーコードを読み取る携帯型光学読取装置として、ハンディスキャナが知られている。このハンディスキャナは、バーコードを読み取る際の使い勝手を考慮して、充電池を内蔵するコードレスタイプのものがある。一般にこのタイプは、ＡＣアダプタをハンディスキャナに設けられたコネクタに接続して内蔵された充電池を充電し、充電の完了後に、ＡＣアダプタをコネクタから外してコードレスで使用する。
【０００３】
一方、充電が未完了の場合や、取替用の充電池不足、バーコードの読取作業を長時間行う場合など、ハンディスキャナにＡＣアダプタを接続したままバーコードの読取作業を行いたい、というユーザニーズがある。例えば特許文献１では、図５１に示すように、電源ケーブル１０１８をバーコードリーダ１００１に接続したままバーコードＢの読取作業を行っている。
【０００４】
なお、ハンディスキャナの充電方法としては、前述したＡＣアダプタを差し込むタイプの他、置き台（以下、クレードルという。）に置いて充電するタイプもある。
【先行技術文献】
【特許文献】
【０００５】
【特許文献１】特開２００４−００５１６４号公報
【発明の概要】
【発明が解決しようとする課題】
【０００６】
しかしながら、ハンディスキャナにＡＣアダプタを接続したままバーコードの読取作業を行う場合、ハンディスキャナが様々な位置に動かされるため、コネクタに負荷が掛かり、ＡＣアダプタが抜けやすくなる結果、ＡＣアダプタの抜け耐性が低下してしまう虞がある。
【０００７】
また、コネクタに負荷が掛かると、コネクタにおける電気的な接続部の耐摩耗性が低下する虞もある。このような課題は、ＡＣアダプタによる給電方式だけでなく、例えば、ＵＳＢなどの接続方式においても生ずる。
【０００８】
本発明は、従来のこのような問題点に鑑みてなされたものである。本発明の目的の一は、携帯型光学読取装置を充電する充電ユニットの抜け耐性、及び、電気的な接続部の耐摩耗性を高めた携帯型光学読取装置、及び、その充電ユニット、並びに、携帯型光学読取システムを提供することにある。
【課題を解決するための手段及び発明の効果】
【０００９】
本発明の第１の側面に係る携帯型光学読取装置によれば、読取対象となるシンボルを光学的に読み取る読取部と、該読取部が収納されたヘッド部と、該ヘッド部に連設されるとともに連設方向に延在し、ユーザによって把持される把持部と、前記読取部に駆動電力を供給するためのバッテリ部と、該バッテリ部を充電する充電ユニットが接続される充電ユニット接続部とを有する携帯型光学読取装置であって、前記充電ユニット接続部は、前記把持部に連設され、前記充電ユニットの第二電気接点と導通し、一列に並んで配設された複数の第一電気接点と、前記複数の第一電気接点を通過する直線の両側に設けられ、前記充電ユニットと係合する一対の第一係合部と、を備えることができる。前記構成により、一対の第一係合部により携帯型光学読取装置と充電ユニットとが係合することで、負荷が掛かっても、充電ユニットが抜け難くなるため、充電ユニットの抜け耐性や電気接点の耐摩耗性の低下を防ぐことができる。
【００１０】
また、前記構成により、複数の第一電気接点を一列に配設し、その列の両側に係合部を設けているので、電気接点を効率的に配置しながらも、複数の第一電気接点が形成する列の並び方向に、一対の第一係合部を設けるためのスペースを確保する必要が無く、一方、複数の第一電気接点が形成する列の両側では、第一電気接点の列と同程度のスペースを設ければ足りるので、充電ユニット接続部をコンパクト化することができる。これにより、充電ユニット接続部を例えば円状又は楕円状に小さくできるので、充電ユニット接続部に連設された把持部をユーザの手で把持し易い大きさ・形状に形成できる。
【００１１】
また、本発明の第２の側面に係る携帯型光学読取装置によれば、前記一対の第一係合部は、該一対の第一係合部の中間に、前記複数の電気接点の各々が位置するよう設けることができる。前記構成により、充電ユニット接続部への負荷に対しては、一対の第一係合部が支持体の役割を果たすと共に、第一電気接点が、バランスよくその中間に位置することで保護されるため、電気接点の耐摩耗性をより高めることができる。
【００１２】
さらにまた、本発明の第３の側面に係る携帯型光学読取装置によれば、前記充電ユニット接続部は、さらに、前記複数の第一電気接点を収容する回転対称性のない形状の第一保護壁が形成された第一接点収容部を備えることができる。前記構成により、複数の第一電気接点は保護壁内に収容されることで保護され、回転対称性のない形状に保護壁を形成することで、充電ユニット側の第二電気接点の保護壁は挿脱可能な形状に制約され同形状となることから、一義的に位置決めされた状態でのみ充電ユニットを挿脱可能となり、充電ユニットの逆挿を防止できる。
【００１３】
さらにまた、本発明の第４の側面に係る携帯型光学読取装置によれば、前記充電ユニットを接続した際、前記充電ユニットの第二電気接点を保護するための第二接点収容部が前記第一接点収容部に嵌挿されると共に、前記充電ユニット接続部と前記第二接点収容部の周囲に設けられた防水パッキンとが接合するよう構成できる。前記構成により、第一接点収容部が第二接点収容部を包含する構造であるので、電気接点に対する防水性が高く、さらにまた、防水パッキンによって防水性がより一層向上する。
【００１４】
さらにまた、本発明の第５の側面に係る携帯型光学読取装置によれば、前記把持部は、前記ヘッド部から延在する連設方向に端面を有し、前記一対の第一係合部は、前記端面の周囲に設けることができる。前記構成により、コンパクト化のニーズの下、複数の第一電気接点が形成する列の両側のスペースをより効率的に活用でき、一対の第一係合部の大きさや形状にバリエーションを持たせることができる。
【００１５】
さらにまた、本発明の第６の側面に係る携帯型光学読取装置によれば、前記一対の第一係合部は、前記充電ユニット接続部と接続するための、前記充電ユニットの読取装置接続部に設けられた一対の第二係合部と協働して、前記充電ユニットと係合した状態を保持又は解除するロック機構を備えることができる。前記構成により、ロック機構によって、携帯型光学読取装置と充電ユニットとの係合状態が保持されるので、ユーザの意に反して充電ユニットが抜けることがなく、充電ユニットの抜け耐性や電気接点の耐摩耗性が向上する。
【００１６】
さらにまた、本発明の第７の側面に係る携帯型光学読取装置によれば、前記一対の第一係合部は、付勢手段を有し、該付勢手段の付勢力によって又は該付勢力に抗して可動する、前記充電ユニットに設けられた一対のロック可動部が、夫々嵌合する一対のロック嵌合部で構成され、前記ロック機構のロックは、前記一対のロック可動部が、前記付勢手段の付勢力によって前記一対のロック嵌合部に夫々嵌挿され、前記一対のロック嵌合部を介して、前記把持部を挟持することでかかり、前記付勢手段の付勢力に抗することによって前記一対のロック嵌合部から夫々抜脱され、前記把持部を放つことで解除できる。
【００１７】
さらにまた、本発明の第８の側面に係る携帯型光学読取装置によれば、前記充電ユニット接続部は、前記把持部が延在する方向と略直交する断面が回転対称性のない形状に成形できる。前記構成により、充電ユニット接続部は回転対称性のない形状に成形されているので、充電ユニット側の携帯型光学読取装置との接続部は係合可能な形状に制約されることから、一義的に位置決めされた状態でのみ充電ユニットを挿脱可能となり、充電ユニットの逆挿を防止できる。
【００１８】
さらにまた、本発明の第９の側面に係る携帯型光学読取装置によれば、前記把持部は、外形が、断面視略円形の棒状に、軸芯が、前記ヘッド部に形成された読取口と略平行に向くよう成形できる。
【００１９】
さらにまた、本発明の第１０の側面に係る携帯型光学読取装置によれば、前記バッテリ部は、前記把持部の内部に収納される円筒型バッテリからなるよう構成できる。
【００２０】
さらにまた、本発明の第１１の側面に係る携帯型光学読取装置によれば、前記充電ユニットは、前記把持部のヘッド部とは反対側の端部に接続できる。
【００２１】
さらにまた、本発明の第１２の側面に係る携帯型光学読取装置の充電ユニットによれば、読取対象となるシンボルを光学的に読み取る読取部と、該読取部が収納されたヘッド部と、該ヘッド部に連設されるとともに連設方向に延在し、ユーザによって把持される把持部と、前記読取部に駆動電力を供給するためのバッテリ部と、該バッテリ部を充電する充電ユニットが接続される充電ユニット接続部とを有する携帯型光学読取装置の充電ユニットであって、前記充電ユニット接続部と接続するための読取装置接続部を備え、前記読取装置接続部は、前記充電ユニット接続部に設けられた、前記充電ユニットの第二電気接点と導通し、一列に並んで配設された複数の第一電気接点と、対応付けて一列に並んで配設された複数の第二電気接点と、前記複数の第一電気接点を通過する直線の両側に設けられた一対の第一係合部と係合する一対の第二係合部と、を備えることができる。前記構成により、一対の第二係合部により携帯型光学読取装置と充電ユニットとが係合することで、負荷が掛かっても、充電ユニットが抜け難くなるため、充電ユニットの抜け耐性や電気接点の耐摩耗性の低下を防ぐことができる。
【００２２】
さらにまた、本発明の第１３の側面に係る携帯型光学読取装置の充電ユニットによれば、前記一対の第二係合部は、可動する可動部と、可動しない前記一対の第一係合部と協働して、前記携帯型光学読取装置と係合した状態を保持又は解除するロック機構と、を備えることができる。前記構成により、ユーザが手で持って読取作業を行うことから、携帯型光学読取装置側が、軽くて、コンパクトであって、壊れ難いことが求められるところ、携帯型光学読取装置側に可動しない一対の第一係合部を配設し、充電ユニット側の一対の第二係合部に可動する可動部を設けたので、ユーザのこのニーズを満たすことができる。
【００２３】
さらにまた、本発明の第１４の側面に係る携帯型光学読取システムによれば、読取対象となるシンボルを光学的に読み取る読取部、該読取部が収納されたヘッド部、該ヘッド部に連設されるとともに連設方向に延在し、ユーザによって把持される把持部、及び、前記読取部に駆動電力を供給するためのバッテリ部、並びに、該バッテリ部を充電する充電ユニットが接続される充電ユニット接続部とを有する携帯型光学読取装置と、前記読取部に駆動電力を供給する、または、前記バッテリ部に充電電力を供給するための電源部、及び、前記充電ユニット接続部と接続するための読取装置接続部を有する充電ユニットとを備える携帯型光学読取システムであって、前記携帯型光学読取装置は、前記充電ユニット接続部が、前記把持部に連設され、前記充電ユニットの第二電気接点と導通し、一列に並んで配設された複数の第一電気接点と、前記複数の第一電気接点を通過する直線の両側に設けられ、前記充電ユニットと係合する一対の第一係合部と、を備え、前記充電ユニットは、前記読取装置接続部が、前記充電ユニット接続部に設けられた、前記複数の第一電気接点と対応付けて一列に並んで配設された複数の第二電気接点と、前記一対の第一係合部と係合する一対の第二係合部と、を備えることができる。前記構成により、一対の第一係合部及び一対の第二係合部により携帯型光学読取装置と充電ユニットとが係合することで、負荷が掛かっても、充電ユニットが抜け難くなるため、充電ユニットの抜け耐性や電気接点の耐摩耗性の低下を防ぐことができる。
【００２４】
また、前記構成により、複数の第一電気接点を一列に配設し、その列の両側に係合部を設けているので、電気接点を効率的に配置しながらも、複数の第一電気接点が形成する列の並び方向に、一対の第一係合部を設けるためのスペースを確保する必要が無く、一方、複数の第一電気接点が形成する列の両側では、第一電気接点の列と同程度のスペースを設ければ足りるので、充電ユニット接続部をコンパクト化することができる。これにより、充電ユニット接続部を例えば円状又は楕円状に小さくできるので、充電ユニット接続部に連設された把持部をユーザの手で把持し易い大きさ・形状に形成できる。
【図面の簡単な説明】
【００２５】
【図１】携帯型光学読取システムの構成を示す模式図であって、充電ユニットとハンディスキャナとを接続した状態を示す図である。
【図２】携帯型光学読取システムの構成を示す模式図であって、充電ユニットとハンディスキャナとを取り外した状態を示す図である。
【図３】充電ユニットとハンディスキャナとを取り外した状態を示す図であって、図２とは異なる角度から見た図である。
【図４】ハンディスキャナの正面図である。
【図５】ハンディスキャナの右側面図である。
【図６】ハンディスキャナの背面図である。
【図７】ハンディスキャナからバッテリを取り出した状態を示す図である。
【図８】ハンディスキャナと充電ユニットとが接続状態にあるときの右側面方向から見た接続箇所の部分拡大断面図である。
【図９】ハンディスキャナの内部構成を示す構造図である。
【図１０】ハンディスキャナの内部構成を示す構造図であって、図９とは異なる角度から見た図である。
【図１１】ハンディスキャナの内部構成を示す構造図であって、図９及び図１０とは異なる角度から見た図である。
【図１２】ハンディスキャナのハードウェア構成を示すブロック図である。
【図１３】電源基板におけるメイン基板へ電力を供給するためのハードウェア構成を示すブロック図である。
【図１４】充電ユニットにおけるハンディスキャナへ電力を供給するためのハードウェア構成を示すブロック図である。
【図１５】ハンディスキャナと充電ユニットとの間で、バッテリへの充電制御及びハンディスキャナへの給電制御に関連するハードウェア構成を示すブロック図である。
【図１６】ハンディスキャナの充電ユニット接続部１１の模式図である。
【図１７】充電ユニットの読取装置接続部の模式図である。
【図１８】第一実施例に係るハンディスキャナと充電ユニットとが接続された状態の携帯型光学読取システムの構成を説明するための正面図である。
【図１９】第一実施例に係るハンディスキャナと充電ユニットとが接続された状態の携帯型光学読取システムの構成を説明するための右側面図である。
【図２０】第一実施例に係るハンディスキャナと充電ユニットとが接続された状態の携帯型光学読取システムの構成を説明するための背面図である。
【図２１】第一実施例に係るハンディスキャナの底面図である。
【図２２】第一実施例に係る第一実施例に係る充電ユニットの正面図である。
【図２３】第一実施例に係る充電ユニットを図２２とは異なる角度から見た図である。
【図２４】第一実施例に係る充電ユニットを図２２及び図２３とは異なる角度から見た図である。
【図２５】第一実施例に係る充電ユニットを図２２〜図２４とは異なる角度から見た図である。
【図２６】第一実施例に係る充電ユニットの読取装置接続部を取り外した状態を示す、図２３と同じ角度から見た斜視図である。
【図２７】第一実施例に係る充電ユニットの一対の係合部のロック機構を説明するための部分拡大図である。
【図２８】第一実施例に係るハンディスキャナと充電ユニットとが接続された状態における正面から見た部分拡大断面図である。
【図２９】第一実施例に係るハンディスキャナと充電ユニットとが接続された状態における図２８とは角度を変えて見た部分拡大断面図である。
【図３０】第二実施例に係るハンディスキャナと充電ユニットとが接続された状態の携帯型光学読取システムの構成を説明するための正面図である。
【図３１】第二実施例に係るハンディスキャナと充電ユニットとが接続された状態の携帯型光学読取システムの構成を説明するための右側面図である。
【図３２】第二実施例に係るハンディスキャナと充電ユニットとが接続された状態の携帯型光学読取システムの構成を説明するための背面図である。
【図３３】第二実施例に係るハンディスキャナの底面図である。
【図３４】第二実施例に係るハンディスキャナの斜視図である。
【図３５】第二実施例に係る充電ユニットの正面図である。
【図３６】第二実施例に係る充電ユニットの斜視図である。
【図３７】第二実施例に係る充電ユニットの読取装置接続部を取り外した状態を示す、図３６と同じ角度から見た斜視図である。
【図３８】第二実施例に係るハンディスキャナと充電ユニットとが接続された状態における正面から見た部分拡大断面図である。
【図３９】第二実施例に係るハンディスキャナと充電ユニットとが接続された状態における図３８とは角度を変えて見た部分拡大断面図である。
【図４０】第三実施例に係るハンディスキャナと充電ユニットとが接続された状態の携帯型光学読取システムの構成を説明するための正面図である。
【図４１】第三実施例に係るハンディスキャナと充電ユニットとが接続された状態の携帯型光学読取システムの構成を説明するための右側面図である。
【図４２】第三実施例に係るハンディスキャナと充電ユニットとが接続された状態の携帯型光学読取システムの構成を説明するための背面図である。
【図４３】第三実施例に係るハンディスキャナの底面図である。
【図４４】第三実施例に係るハンディスキャナの斜視図である。
【図４５】第三実施例に係る充電ユニットの正面図である。
【図４６】第三実施例に係る充電ユニットの斜視図である。
【図４７】第三実施例に係る充電ユニットの読取装置接続部を取り外した状態を示す、図４６と同じ角度から見た斜視図である。
【図４８】第三実施例に係るハンディスキャナと充電ユニットとが接続された状態における正面から見た部分拡大断面図である。
【図４９】第三実施例に係るハンディスキャナと充電ユニットとが接続された状態における図４８と正反対の方向から見た部分拡大断面図である。
【図５０】第三実施例に係るハンディスキャナと充電ユニットとが接続された状態における側面から見た部分拡大断面図である。
【図５１】従来のバーコードリーダを示す模式図である。
【発明を実施するための形態】
【００２６】
以下、本発明の実施の形態を図面に基づいて説明する。ただし、以下に示す実施の形態は、本発明の技術思想を具体化するための携帯型光学読取装置、及び、その充電ユニット、並びに、携帯型光学読取システムを例示するものであって、本発明は携帯型光学読取装置、及び、その充電ユニット、並びに、携帯型光学読取システムを以下のものに特定しない。また、本明細書は特許請求の範囲に示される部材を、実施の形態の部材に特定するものでは決してない。特に実施の形態に記載されている構成部品の寸法、材質、形状、その相対的配置等は特に特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。
【００２７】
携帯型光学読取装置（以下、ハンディスキャナともいう。）における基本原理は、レーザ光を照射し、反射光の濃淡でバーコードなどのシンボル（以下、一例として、バーコードまたはコードともいう。）の識別をしている。近年、携帯電話やスマートフォンなどでは、二次元のコード（ＱＲコード（登録商標）など）が一般的になってきており、このタイプはレーザ光ではスキャンできず、主にカメラで画像として撮像し、画像を解析してコードを識別している。
【００２８】
大きく分けるとレーザ式とカメラ式があり、更に大別すると、固定式と手持式がある。固定式は、一般に、日常生活の中ではあまり取り扱われないが、例えば工場の中で、トレーサビリティのために、自動化ラインで固定式を使用することがある。手持式は、レジなどの日常生活の中で使用されるような民生品もあれば、工場の中でも、人が介在するところでは、使用することがある。
【００２９】
更に細かく分類すると、コードの種類で一次元のバーコードと二次元のバーコードとがある。多くは紙やラベラーに印字されたものを読み取るが、中には、ダイレクトパーツマーキング（ＤＰＭ）と一般的に言われているような直接エンジンなどの金属製品・部品にレーザマーカーで印字をして、それを読み取るような携帯型光学読取装置もある。
【００３０】
本発明に係る携帯型光学読取装置は、ユーザが手で持って読取作業を行うタイプである。適用対象は、民生品からＤＰＭなど多岐に亘ってよく、特に限定されない。
【００３１】
なお、シンボルには、一次元コードや二次元コードに加え、これらを組み合わせた合成シンボルも含む。一次元コードは、バーコードや一次元シンボル等とも呼ばれ、Ｃｏｄｅ３９やＣｏｄｅ１２８等が挙げられる。
【００３２】
二次元コードも同様に二次元バーコードや二次元シンボル等とも呼ばれ、ＱＲコード（登録商標）、マイクロＱＲコード、データマトリクス（DataMatrix）、ベリコード（VeriCode）、アズテックコード（AztecCode）、ＰＤＦ４１７、ＭｉｃｒｏＰＤＦ４１７、マキシコード（MaxiCode）などがある。
【００３３】
また合成シンボルには、一次元コードと二次元コードが混在するＧＳ１合成シンボルなどがある。ＧＳ１合成シンボルはベースになる一次元コードとしてＥＡＮ／ＵＰＣ（EAN-13、EAN-8、UPC-A、UPC-E）、ＧＳ１-１２８及びＧＳ１データバーの三種が利用できる。また、付加情報には、ＭｉｃｒｏＰＤＦ４１７又はＰＤＦ４１７の二次元コードが利用できる。また、本実施の形態は、バーコードと、マイクロＱＲコードなどのマトリクス型二次元コードとを組み合わせたものにも適用できる。
（携帯型光学読取システム２０１の構成）
【００３４】
本発明の一実施形態に係る携帯型光学読取システム２０１ａの構成を示す模式図を、図１〜図３に示す。これらの図に示すように、携帯型光学読取システム２０１ａは、ハンディスキャナ１ａ、充電ユニット１０１ａとから構成されている。なお、これらの図において、符号ＩＬは照明光を示している。
【００３５】
ハンディスキャナ１を駆動するための駆動電力は、バッテリ５または充電ユニット１０１から供給されるが、両方から供給可能な場合には、電圧の高い方から供給される。図１は、この充電ユニット１０１をハンディスキャナ１の把持部２の端面に接続した状態を示す図であり、このように接続した場合には、通常、電圧の高い充電ユニット１０１から供給される。ユーザは、この図に示すように、両者を接続したまま、バッテリ５の充電状態を気にすることなく、あるいは、バッテリ５の有無に拘わらず、バーコードの読取作業を行うことができる。
【００３６】
また、図２または図３は、携帯型光学読取システム２０１ａから充電ユニット１０１ａを取り外した状態を示す図であり、この場合には、ハンディスキャナ１の駆動電力はバッテリ５から供給され、ユーザは、ハンディスキャナ１ａをコードレスの単体として使用することもできる。
【００３７】
本発明は、このハンディスキャナ１と充電ユニット１０１との係合構造に特徴があり、本実施の形態においては、この係合構造について、３つの実施例に分けて詳述する。便宜上、第一実施例については符号の末尾にａの文字を付し、以下同様に、第二実施例についてはｂの文字、第三実施例についてはｃの文字を付している。符号の末尾にａ〜ｃの文字が付いてない部材は各実施例に共通する部材を示している。
（ハンディスキャナ１の構成）
【００３８】
先ず、ハンディスキャナ１の第一実施例〜第三実施例に共通する構成について説明する。以下、便宜上、ハンディスキャナ１の読取口４側から見る方向を正面、ヘッド部３側から見る方向を平面、把持部２の端面側から見る方向を底面として、夫々の面を正投影図法に準拠して定義する。また、ハンディスキャナ１のうち読取口４がある方を前方、その反対側を後方として定義する。また、後述する充電ユニット１０１については、図１に示すようにハンディスキャナ１を接続した状態で、ハンディスキャナ１の面方向と整合するように定義する。したがって、図２または図３に示すようにハンディスキャナ１と充電ユニット５１とが分離した状態において、ハンディスキャナ１の充電ユニット接続部１１ａ方向から見た図は、底面図となり、充電ユニット１０１の読取装置接続部１１１ａ方向から見た図は、平面図ということになる。
【００３９】
図４は、ハンディスキャナ１ａの正面図、図５は、同右側面図、図６は、同背面図である。図４〜図６に示すように、ハンディスキャナ１は、正面の上部に、バーコードを読み取るための矩形状の読取口４を有し、読取口４から背面に向けて両側面及び平面が連設されて形成されるヘッド部３を備えている。また、ヘッド部３に連設されるとともに連設方向、すなわち底面方向に延在し、その外形が断面略円形の棒状となるよう、ユーザによって把持される把持部２が設けられている。把持部２の底面方向には端面が形成されており、そこに充電ユニット接続部１１ａが配設されている。充電ユニット１０１は、この充電ユニット接続部１１ａに接続される。
【００４０】
図７は、ハンディスキャナ１ａからバッテリ５を外した状態を示す図である。この図に示すように、バッテリ５は、円筒型の形状をしており、例えばリチウムイオン電池が用いられ、バッテリ蓋６を閉じて、把持部２の内部に収納されるようになっている。バッテリ蓋６の下方に、バッテリ蓋ロック７が設けられており、これを押すと、バッテリ蓋６が開くように構成されている。図８は、ハンディスキャナ１ａと充電ユニット１０１ａとが接続状態にあるときの右側面方向から見た接続箇所の部分拡大断面図である。この図に示すように、バッテリ蓋ロック７の先端に爪が形成されている。バッテリ蓋ロック７が閉じた状態では、この爪がバッテリ蓋６の端部に形成された突起８に掛かっており、バッテリ蓋ロック７を押すと、先端の爪が外れてバッテリ蓋６が開く。このバッテリ蓋ロック７は、後述するロック機構と連動しており、バッテリ蓋６が開くのと同時に、ハンディスキャナ１ａと充電ユニット１０１ａとのロックが外れるようになっている。これにより、バッテリ５の交換時の充電ユニット１０１ａによる給電を回避することができる。
【００４１】
図９〜図１１は、ハンディスキャナ１ａの内部構成を示す構造図である。ハンディスキャナ１ａは、これらの図に示すように、主として、フロントケース４３と、読取部４１と、バッテリ部４２と、リアケース４４と、充電ユニット接続部１１とから構成されている。
【００４２】
読取部４１は、図９〜図１１に示すように、読取対象にＬＥＤ照明光ＩＬをリフレクタ３６並びに偏光素子２４の投光用偏光素子２４２を介して投光するためのＬＥＤ照明２９１５（図示していない。）と、拡散板２３を介して読取対象に対して側面から拡散光ＩＬを出射するためのＬＥＤ照明２９１１〜ＬＥＤ照明２９１４（図示していない。）と、ＬＥＤ照明２９１１〜ＬＥＤ照明２９１５を制御するための照明基板２９と、読取に有用な反射光を効率良く反射させるための反射板２８とを含む投光部４６、カメラフレーム３２と、カメラカバー３０と、読取対象からの反射光を投光用偏光素子２４２と位相が９０°異なる偏光素子２４の受光用偏光素子２４１を介して受光し光像を形成するための受光レンズ３１と、受光レンズ３１で形成された光像からデジタル画像を作成するためのＣＭＯＳイメージセンサ３４とを含む受光部４７、ユーザが操作するためのトリガースイッチ２５と、トリガーパッキン２６と、各種モードに切り替えるためのファンクションスイッチ５０とを含む操作部４８、ユーザに種々の情報を通知するためのバイブレータ２７とインジケータＬＥＤ２１（図示していない。）とインジケータレンズ２２とを含む通知部４９、読取結果をＰＬＣ（Programmable Logic Controller）やＰＣ（Personal Computer）に送信するための別体の通信ユニット（図示していない。）との間で例えばＢｌｕｅｔｏｏｔｈ（登録商標）などの無線通信をするための通信部（図示していない。）、投光部４６と受光部４７と操作部４８と通知部４９と通信部とを制御するためのメイン基板３３、各種部材に電力を供給するための電源基板３７を主要部として備えている。
【００４３】
バッテリ部４２は、円筒型の形状をした３．７Ｖのバッテリ５、バッテリ５を収納して閉じるためのバッテリ蓋６、バッテリ５からメイン基板３３に給電するためのバッテリ充電コントローラ３５を主要部として備えている。
【００４４】
フロントケース４３及びリアケース４４は、読取部４１とバッテリ部４２とを収容し、両者が合わさって筐体が形成される。筐体の把持部２の端面に充電ユニット接続部１１が配設されている。充電ユニット接続部１１についての詳細は後述する。
（ハンディスキャナ１の回路ブロック）
【００４５】
図１２は、ハンディスキャナ１のハードウェア構成を示すブロック図である。図１２に示すように、メイン基板３３は、ＤＳＰ３３１等を備えており、ハンディスキャナ１の投光部４６及び受光部４７、操作部４８、通知部４９の動作を制御するとともに、取得した画像に対して読取処理を実行する。またメイン基板３３は、通信部を動作させて読取結果を通信ユニットに送信する。
【００４６】
ＤＳＰ３３１は、ＲＯＭ３３２に記憶されている（又はＲＡＭ３３３に展開された）プログラム及び設定に基づいて、トリガースイッチがＯＮになったことを検出すると、ＬＥＤドライバ２９２を介して、ＬＥＤ照明２９１１〜ＬＥＤ照明２９１５を設定した態様で点灯するよう制御する。例えば、ＬＥＤ照明２９１１〜ＬＥＤ照明２９１４を拡散板２３の背部に周上に夫々配設してブロックを形成し、ブロック毎に点灯を制御する。このブロック点灯によって、拡散照明でありながら、特定の方向からバーコードに照明を当てることができる。
【００４７】
続いて、ＤＳＰ３３１は、ＣＭＯＳイメージセンサ３４が画像データをＲＡＭ３３３に保存し、ＲＡＭ３３３に保存された画像データに基づいてデコード処理をする。読取処理が終了し、通信部を制御してＢｌｕｅｔｏｏｔｈ（登録商標）で読取結果を出力する。またＤＳＰ３３１は、ブザードライバ５１１を介して、ブザー５１から正常に読取完了を知らせる音を鳴らし、同時に、モータドライバ２７１を介して、バイブレータ２７を動作させる。さらにまた、ＤＳＰ３３１は、インジケータドライバ２１１を介して、インジケータＬＥＤ２１を点灯させ、ユーザに対して、読取の完了や各種の進捗などを通知する。
【００４８】
図１３は、電源基板３７におけるメイン基板３３へ電力を供給するためのハードウェア構成を示すブロック図である。ＡＣアダプタに繋がる充電ユニット１０１から電気接点１２を介して電源供給する系統は所定の電圧がかけられており、バッテリ５からの系統は、所定の電圧がかけられている。電源基板３７において、スイッチ５２とバッテリ充電コントローラ３５とが並列になっており、バッテリ充電コントローラ３５を介してバッテリ５を充電することも、スイッチ５２を介してメイン基板３３へ電力供給することもできる。充電ユニット１０１がハンディスキャナ１と繋がっており、かつ、ハンディスキャナ１にバッテリ５が入っている場合、すなわち、両方とも繋がっている場合、通常、メイン基板３３へは充電ユニット１０１から電力が供給されることになる。この場合において、バッテリ５の電圧が所定の電圧より低い場合、バッテリ５が充電される。
【００４９】
また、充電ユニット１０１がハンディスキャナ１と繋がっていない場合、バッテリ５から電力が供給される。ハンディスキャナ１にバッテリ５が入っていない場合は、充電ユニット１０１から電力が供給される。
（充電ユニット１０１の構成）
【００５０】
図１４は、充電ユニット１０１におけるハンディスキャナ１へ電力を供給するためのハードウェア構成を示すブロック図である。電源供給端子１３１はＡＣアダプタが繋がる口になっており、ＡＣ電源からＡＣアダプタを介して変換された１２Ｖの直流電圧は、図１４に示すように、電源供給端子１３１を介して、ＤＣ／ＤＣコンバータ１３２に出力される。ＤＣ／ＤＣコンバータ１３２は、１２Ｖの直流電圧を５Ｖに変換し、スイッチ１３３に出力する。スキャナ検知回路１３４は、ハンディスキャナ１が接続されたことを検知すると、スキャナ検知信号をスイッチ１３３へ出力する。スイッチ１３３は、スキャナ検知回路１３４からのスキャナ検知信号の入力があると、ＤＣ／ＤＣコンバータ１３２によって変換された５Ｖの直流電圧を電気接点１１２に出力し、スキャナ検知信号の入力がない場合には、電気接点１１２へは出力しない。すなわち、安全を考慮して、ハンディスキャナ１が接続されないと、５Ｖの直流電圧は、ハンディスキャナ１へ供給されない。
【００５１】
図１５は、ハンディスキャナ１と充電ユニット１０１との間で、バッテリ５への充電制御及びハンディスキャナ１への給電制御に関連するハードウェア構成を示すブロック図である。この図に示すように、ハンディスキャナ１において、バッテリ５からバッテリ端子５３へ電力が出力される一方で、バッテリ端子５３を介してバッテリ５の充電が行われる。この充電制御は、メイン基板３３が行ってもよいし、バッテリ充電コントローラ３５が行ってもよい。
（電気接点）
【００５２】
図１６は、ハンディスキャナ１ａの充電ユニット接続部１１ａの模式図である。また、図１７は、充電ユニット１０１ａの読取装置接続部１１１ａの模式図である。これらの図に示すように、ハンディスキャナ１側の電気接点１２は、略円形状の把持部２の端面の略中心に読取方向（図面の上下方向。言い換えると、ハンディスキャナ１の前後方向、或いは、ＣＭＯＳイメージセンサ３４などの読取部の受光軸と略平行の方向、さらに言い換えると、ヘッド部３の開口面と略直交の方向）に一列に３個端子が配設されており、充電ユニット１０１側の電気接点１１２は、ハンディスキャナ１と接続した際に整合するよう読取方向に６個端子が配設されている。ハンディスキャナ１側の電気接点１２の図面の上の１個の端子と充電ユニット１０１側の電気接点１１２の上段の２個の端子とが整合し、同様に、電気接点１２の中の１個の端子と電気接点１１２の中段の２個の端子とが、電気接点１２の下の１個の端子と電気接点１１２の下段の２個の端子とが夫々整合する。なお、電気接点は、設計上、一列に配設させた方が効率的に配置できる。なお、３個の端子をハンディスキャナ１の前後方向に一列に配設し、その両側に（つまり、ハンディスキャナ１の左右方向に）、後述する一対の係合部を設けることによって、充電ユニット接続部１１ａの下端面における配置スペースを効率良く使いつつ、充電ユニット接続部１１ａのコンパクト化を図ることができる。特に、ヘッド部３の開口面と把持部２の延在方向とが略平行となるハンディスキャナ１、言い換えると、読取部の受光軸と把持部２の延在方向とが略直交するハンディスキャナ１において、把持部２の下端に設けられた充電ユニット接続部１１ａをコンパクト化することができる。更に言うと、本実施形態では、ハンディスキャナ１の把持部２の平面断面は、略楕円形状になっている（図４、図５参照）。これは、ユーザが、親指と、残りの４本指とで把持部２を握ったときに、グリップ感をもたせるためである。把持部２は、延在方向に沿って、平面断面が略楕円形状となる部分が続いており、その下端、すなわち充電ユニット接続部１１ａも、グリップ感を向上させるために略楕円形状になっている（図１６）。このように、グリップ感に配慮した把持部２の一端に設けられた充電ユニット接続部１１ａでは、３個の端子を前後方向（図１６でいう上下方向）に一列に配設し、且つ、その両側に一対の係合部を設けている。これにより、充電ユニット接続部１１ａのコンパクト化を図ることができる。
【００５３】
ここで、充電ユニット１０１側が２個の端子でハンディスキャナ１側の端子が１個という組合せは、電気接点の耐摩耗性を考慮してのことである。例えば、電気接点１１２の内、１個の端子が摩耗して機能を果たさなくなったとしても、残りの１個の端子で対応できるこということが理由としてある。また、ピン形状の端子を充電ユニット１０１側に設ける理由は、ハンディスキャナ１側は頻繁に移動するので、物に接触して壊れ易く、それを回避する必要があり、また、１個の充電ユニット１０１に対して複数台ハンディスキャナ１を使用するという使用態様を考慮すると、ハンディスキャナ１側を可能な限りシンプルな構造にする方が好ましいからである。なお、本実施の形態においては、電気接点は、電力供給とスキャナ検知のための３個（ハンディスキャナ１側）または６個（充電ユニット１０１側）の端子からなるが、これに限定されない。例えば、もう１個端子を設けて、それに通信機能を持たせてもよい。
（逆挿防止機能）
【００５４】
ハンディスキャナ１と充電ユニット１０１とは、向きを逆にして接続されることを防止するための機能（以下、逆挿防止機能という。）を備えている。電気接点１２及び電気接点１１２は、夫々、保護壁１８及び保護壁１１８によって、周囲を取り囲まれている。電気接点１２及び電気接点１１２は、保護壁内に収容されることで、例えば、何かが触れないように保護する効果がある。また、図１６及び図１７、図２３に示すように、回転対称性のない形状に保護壁１８及び保護壁１１８を形成することで、一義的に位置決めされた状態でのみ充電ユニット１０１を挿脱可能となり、充電ユニット１０１の逆挿を防止できる。
（防水機能）
【００５５】
ハンディスキャナ１と充電ユニット１０１とは、接続後、ネジ留めすることができる。このネジ留めの理由の一は、より強固に接続した上で、繋いだまま使用できることがあるが、その他にも、ハンディスキャナ１は、工業用品として使用される場合には、水や粉塵から保護したいというニーズがあり、防水性を高めたいという理由もある。
【００５６】
このため、本発明に係るハンディスキャナ１及び充電ユニット１０１は、前述したネジ留め以外にも防水機能を設けている。充電ユニット１０１には、図１７及び図２３に示すように、保護壁１１８の周囲に溝が設けられ、その溝に防水パッキン１１９が挿入され、防水パッキン１１９が厚みを有することで、ハンディスキャナ１と接続された際に、充電ユニット接続部１１と密着することで、防水機能を果たすことになる。この防水パッキン１１９にネジ留めを組み合わせることで、更に、防水性が向上する。
（係合構造）
【００５７】
前述したとおり、電気接点は、設計上、一列に配設させた方が効率的に配置できる。例えば携帯電話やスマートフォンでは、製品の性質上、幅の広い端部を有するために、この端部側に電気接点を一列に配設し、その電気接点の配列方向に係合部を設けても、製品の大きさや形状に与える影響は少ない。これに対して、ハンディスキャナにおいては、把持部の端面に充電ユニットを接続しようと考えたとき、把持部が手で握る部材である以上、握り易い形状したいというニーズがある。そうすると、例えば携帯電話のように幅広の端面を形成することは困難であり、握り易い形状という制約の中で、抜け耐性や電気接点の耐摩耗性を高めるための係合構造が課題となる。
【００５８】
これに対して、本実施の形態で共通する技術思想として、一列に配設させた電気接点の両側に線対称に係合部を一対設けることで、電気接点の配設方向にもそれに直交する方向にも同程度の幅を持たせることが可能となり、把持部を、断面が例えば円形状や楕円状で、全体としては棒形状の手で持ち易いグリップにでき、デザイン的にもシンプルにできる。
【００５９】
以下に詳細を説明する第一実施例から第三実施例は、いずれも把持部２の略円形状の端面において充電ユニット接続部１１を形成し、電気接点１２を中央に読取方向に一列配設し、その列の両側に一対の係合部を設けている点で共通しているが、係合部が夫々特有の係合構造を有している。第一実施例は、一対の係合部がロック機構を有しており、ロックを外して接続を解く構造になっている。第二実施例は、ロック機構は有しておらず、両者を反対方向に引っ張ることで接続を解くことができる。第三実施例は、一方に磁石を配設し、他方に磁性体を配設することで、磁力によって両者を接続し、このタイプも両者を反対方向に引っ張ることで接続を解くことができる。以下、第一実施例から第三実施例について詳述する。
（第一実施例）
【００６０】
図１８〜図２０は、第一実施例に係る、ハンディスキャナ１ａと充電ユニット１０１ａとが接続された状態の携帯型光学読取システム２０１ａの構成を説明するための、図１８は正面図であり、図１９は右側面図、図２０は背面図である。一対の係合部１１３ａは、これらの図に示すように、右側面及び左側面の丁度接続箇所に跨ぐように表出している。
【００６１】
図２１は、ハンディスキャナ１ａの底面図である。図２１に示すように、一対の係合部１３ａは、ロック機構の部材として、奥まったところに上下方向に延伸する突起１４ａを有している。
【００６２】
図２２は、充電ユニット１０１ａの正面図であり、図２３〜図２５は、充電ユニット１０１ａを種々の角度から斜視的に見た図である。図２２〜図２５に示すように、一対の係合部１１３ａは、フック１１４ａ及びバネ１１５ａを備えているが、フック１１４ａが、その先端が内側を向くように傾斜しており、バネ１１５ａは外部から見えないようになっている。
【００６３】
図２６は、充電ユニット１０１ａの読取装置接続部１１１ａを取り外した状態を示す、図２３と同じ角度から見た斜視図である。この図に示すように、内部において、バネ１１５ａは、フック１１４ａを外側に付勢している。
【００６４】
図２７は、充電ユニット１０１ａの一対の係合部１１３ａのロック機構を説明するための部分拡大図である。また、図２８は、ハンディスキャナ１ａと充電ユニット１０１ａとが接続された状態における正面から見た部分拡大断面図である。さらにまた、図２９は、ハンディスキャナ１ａと充電ユニット１０１ａとが接続された状態における図２８とは角度を変えて見た部分拡大断面図である。図２７に示すように、一対の係合部１１３ａは、フック１１４ａが揺動するための支点１１６ａを備え、図２７〜図２９に示すように、奥まったところでバネ１１５ａによって外側に付勢されており、バネ１１５ａに接触するフック１１４ａの部位を外側から内側へバネ１１５ａの付勢力に抗して押圧すると、支点１１６ａを軸としてフック１１４ａが押圧方向に旋回し、爪状の先端１１７ａが外側に開く。この爪状の先端１１７ａが、ハンディスキャナ１側の一対の係合部１３ａの突起１４ａから外れると、ロックが解除されることになる。
【００６５】
ハンディスキャナ１ａと充電ユニット１０１ａとのロックは、フック１１４ａが、バネ１１５ａによって常に閉じる方向になっており、両者を引き合わせて行くと、突起１４ａのところで、突起１４ａに沿って追随し、突起１４ａを越えたところで、把持部２を挟持することでかかる。
（第二実施例）
【００６６】
図３０〜図３２は、第二実施例に係る、ハンディスキャナ１ｂと充電ユニット１０１ｂとが接続された状態の携帯型光学読取システム２０１ｂの構成を説明するための、図３０は正面図であり、図３１は右側面図、図３２は背面図である。一対の係合部１３ｂも一対の係合部１１３ｂも、これらの図に示すように、側面には表れていない。第一実施例は、ユーザが手でロックをかけたり解除し易いよう、一対の係合部１１３ａが側面に表出させるのに対して、第二実施例は、ロック機構を有さず、ユーザが、引き抜くだけで簡単に取り外せる態様である。したがって、第二実施例は、よりシンプルなデザインとなるよう外側にフックやバネが表出しない構造になっている。
【００６７】
図３３は、ハンディスキャナ１ｂの底面図であり、図３４は、ハンディスキャナ１ｂの斜視図である。図３３及び図３４に示すように、ハンディスキャナ１ｂには、一対の爪１４ｂが形成されている。図３４に示すように、爪１４ｂは、充電ユニット接続部１１ｂから保護壁１８の高さまで突出している。
【００６８】
図３５は、充電ユニット１０１ｂの正面図であり、図３６は、充電ユニット１０１ｂの斜視図である。図３５及び図３６に示すように、充電ユニット１０１ｂには、一対のバネ１１４ｂが設けられている。また、図３７は、充電ユニット１０１ｂの読取装置接続部１１１ｂを取り外した状態を示す、図３６と同じ角度から見た斜視図である。図３６に示すように、バネ１１４ｂは、読取装置接続部１１１ｂから保護壁１１８の高さまで突出している。また、図３７に示すように、一対のバネ１１４ｂは、内側に向かう弓形状の突部１１５ｂが形成されており、その下方に平坦部１１６ｂを有している。
【００６９】
図３８は、ハンディスキャナ１ｂと充電ユニット１０１ｂとが接続された状態における正面から見た部分拡大断面図である。また、図３９は、ハンディスキャナ１ｂと充電ユニット１０１ｂとが接続された状態における図３８とは角度を変えて見た部分拡大断面図である。図３８及び図３９に示すように、爪１４ｂは外側に向かう弓形状の突部１５ｂが形成されており、その上部に平坦部１６ｂを有している。すなわち、爪１４ｂとバネ１１４ｂとは、夫々、弓形状の突部１１５ｂ、１５ｂを有し、両突部が互いに向き合ってスライドする関係にある。爪１４ｂの突部１５ｂとバネ１１４ｂの突部１１５ｂとが互いに向かい合いながらスライドすると、爪１４ｂは内側へ曲げられ、バネ１１４ｂは外側に曲げられることになる。爪１４ｂもバネ１１４ｂも弾性体であるため、元の位置に戻ろうとする弾性力によって、スライドさせないよう抵抗を受けることになる。
【００７０】
そして、爪１４ｂの突部１５ｂとバネ１１４ｂの突部１１５ｂとが近づくにつれて、抵抗が大きくなり、その抵抗のピーク値を越える力を加えることでスライドし、突部１５ｂと平坦部１１６ｂとが接触し、かつ、平坦部１６ｂと突部１１５ｂとが接触する、言い換えると、互いの形状が整合する箇所において、安定化し接続が完了する。ハンディスキャナ１ｂから充電ユニット１０１ｂを取り外す際には、逆を辿ることになり、接続が完了した箇所から抵抗のピーク値を超える力を加えることでスライドし、引き抜くことが可能となる。すなわち、爪１４ｂとバネ１１４ｂとは、ハンディスキャナ１ｂの長手方向に力を加えることによって、自然に抜けるような弾性保持をする保持部を有している。
（第三実施例）
【００７１】
図４０〜図４２は、第三実施例に係る、ハンディスキャナ１ｃと充電ユニット１０１ｃとが接続された状態の携帯型光学読取システム２０１ｃの構成を説明するための、図４０は正面図であり、図４１は右側面図、図４２は背面図である。これらの図に示すように、一対の係合部１３ｃ及び一対の係合部１１３ｃは、第二実施例と同様に、側面には表れていない。第三実施例も、第二実施例と同様に、ロック機構を有さず、ユーザが、引き抜くだけで簡単に取り外せる態様である。
【００７２】
図４３は、ハンディスキャナ１ｃの底面図であり、図４４は、ハンディスキャナ１ｃの斜視図である。図４３及び図４４に示すように、一対の係合部１３ｃの箇所にネジ１４ｃがネジ留めされている。また、電源端子１２から上下に等間隔にネジ１４ｃがネジ留めされている。さらにまた、図４４に示すように、下方のネジ１４ｃは、逆挿防止のために設けられた円筒形の穴である孔１５の中にネジ留めされている。
【００７３】
図４５は、充電ユニット１０１ｃの正面図であり、図４６は、充電ユニット１０１ｃの斜視図である。図４５及び図４６に示すように、電源端子１１２の下方に、孔１５と緩挿する円筒形の突部１１５ｃが設けられている。
【００７４】
図４７は、充電ユニット１０１ｃの読取装置接続部１１１ｃを取り外した状態を示す、図４６と同じ角度から見た斜視図である。図４７に示すように、ネジ１４ｃと対応する４箇所に円筒形のマグネット１１４ｃが配設されている。すなわち、マグネット１１４ｃは、読取装置接続部１１１ｃの下部の、ネジ１４ｃとの対応箇所に埋設されている。
【００７５】
図４８は、ハンディスキャナ１ｃと充電ユニット１０１ｃとが接続された状態における正面から見た部分拡大断面図である。また、図４９は、ハンディスキャナ１ｃと充電ユニット１０１ｃとが接続された状態における図４８と正反対の方向から見た部分拡大断面図である。そして、図５０は、ハンディスキャナ１ｃと充電ユニット１０１ｃとが接続された状態における側面から見た部分拡大断面図である。図４８〜図５０に示すように、ネジ１４ｃとマグネット１１４ｃとが整合する位置に夫々配設されており、かつ、ネジが磁性体の役割を果たすため、ハンディスキャナ１ｃと充電ユニット１０１ｃとは、磁力によって引き合い、接続することができる。
【００７６】
ここで、孔１５と緩挿する円筒形の突部１１５ｃを設けている理由は、複数あるマグネット１１４ｃとネジ１４ｃとの関係の中で、他の箇所とは高さが違う箇所を設け、その高さの違う箇所に対応する箇所に係合する穴を設けることで、全体的な位置決めが可能となるからである。ただし、例えば点対称の二カ所に孔１５と突部１１５ｃを設けた場合には、１８０°回転させることで係合してしまう。したがって、全体的な位置決めを行うために回転対称性のない形状に成形してあればよく、これにより、逆挿を防止できる。
【産業上の利用可能性】
【００７７】
本発明は、携帯型光学読取装置を充電する充電ユニットの抜け耐性、及び、電気的な接続部の耐摩耗性を高めた携帯型光学読取装置、及び、その充電ユニット、並びに、携帯型光学読取システムに関するものであり、産業上の利用性を有する。
【符号の説明】
【００７８】
１，１ａ，１ｂ，１ｃ…ハンディスキャナ
２…把持部
３…ヘッド部
４…読取口
５…バッテリ
６…バッテリ蓋
７…バッテリ蓋ロック
８…突起
１１，１１ａ，１１ｂ…充電ユニット接続部
１２…電気接点
１３…係合部
１３ａ，１３ｂ，１３ｃ…係合部
１４ａ…突起
１４ｂ…爪
１４ｃ…ネジ
１５…孔
１５ｂ…突部
１６ｂ…平坦部
１８…保護壁
２１…インジケータＬＥＤ；２１１…インジケータドライバ
２２…インジケータレンズ
２３…拡散板
２４…偏光素子；２４１…受光用偏光素子；２４２…投光用偏光素子
２５…トリガースイッチ
２６…トリガーパッキン
２７…バイブレータ；２７１…モータドライバ
２８…反射板
２９…照明基板；２９１１〜２９１５…ＬＥＤ照明；２９２…ドライバ
３０…カメラカバー
３１…受光レンズ
３２…カメラフレーム
３３…メイン基板
３４…ＣＭＯＳイメージセンサ
３５…バッテリ充電コントローラ
３６…リフレクタ
３７…電源基板
４１…読取部
４２…バッテリ部
４３…フロントケース
４４…リアケース
４６…投光部
４７…受光部
４８…操作部
４９…通知部
５０…ファンクションスイッチ
５１…ブザー；５１１…ブザードライバ
５２…スイッチ
５３…バッテリ端子
１０１，１０１ａ，１０１ｂ，１０１ｃ…充電ユニット
１１１ａ，１１１ｂ，１１１ｃ…読取装置接続部
１１２…電気接点
１１３ａ，１１３ｂ，１１３ｃ…係合部
１１４ａ…フック
１１４ｂ…バネ
１１４ｃ…マグネット
１１５ａ…バネ
１１５ｂ，１１５ｃ…突部
１１６ａ…支点
１１６ｂ…平坦部
１１７ａ…先端
１１８…保護壁
１１９…防水パッキン
１３１…電源供給端子
１３２…ＤＣ／ＤＣコンバータ
１３３…スイッチ
１３４…スキャナ検知回路
２０１，２０１ａ，２０１ｂ，２０１ｃ…携帯型光学読取システム
１００１…バーコードリーダ
１０１８…電源ケーブル
ＩＬ…照明光
【図１】
2017091331.tif 000003
【図２】
2017091331.tif 000004
【図３】
2017091331.tif 000005
【図４】
2017091331.tif 000006
【図５】
2017091331.tif 000007
【図６】
2017091331.tif 000008
【図７】
2017091331.tif 000009
【図８】
2017091331.tif 000010
【図９】
2017091331.tif 000011
【図１０】
2017091331.tif 000012
【図１１】
2017091331.tif 000013
【図１２】
2017091331.tif 000014
【図１３】
2017091331.tif 000015
【図１４】
2017091331.tif 000016
【図１５】
2017091331.tif 000017
【図１６】
2017091331.tif 000018
【図１７】
2017091331.tif 000019
【図１８】
2017091331.tif 000020
【図１９】
2017091331.tif 000021
【図２０】
2017091331.tif 000022
【図２１】
2017091331.tif 000023
【図２２】
2017091331.tif 000024
【図２３】
2017091331.tif 000025
【図２４】
2017091331.tif 000026
【図２５】
2017091331.tif 000027
【図２６】
2017091331.tif 000028
【図２７】
2017091331.tif 000029
【図２８】
2017091331.tif 000030
【図２９】
2017091331.tif 000031
【図３０】
2017091331.tif 000032
【図３１】
2017091331.tif 000033
【図３２】
2017091331.tif 000034
【図３３】
2017091331.tif 000035
【図３４】
2017091331.tif 000036
【図３５】
2017091331.tif 000037
【図３６】
2017091331.tif 000038
【図３７】
2017091331.tif 000039
【図３８】
2017091331.tif 000040
【図３９】
2017091331.tif 000041
【図４０】
2017091331.tif 000042
【図４１】
2017091331.tif 000043
【図４２】
2017091331.tif 000044
【図４３】
2017091331.tif 000045
【図４４】
2017091331.tif 000046
【図４５】
2017091331.tif 000047
【図４６】
2017091331.tif 000048
【図４７】
2017091331.tif 000049
【図４８】
2017091331.tif 000050
【図４９】
2017091331.tif 000051
【図５０】
2017091331.tif 000052
【図５１】
2017091331.tif 000053